(57)【要約】【課題】ガラスパネルであっても連結部分の存在を目立たなくして外観性を向上できるとともに、パネル装置自体に特別な構造を必要とせず、部品点数を抑えてコスト低減、組立・施工の容易化を実現できるパネル装置の連結構造を提供せんとする。【解決手段】コーナー連結カバー１を互いに略直角の方向に延設された第１の支持部１１と第２の支持部１２とよりなる断面視略Ｌ字状の部材で構成し、第１の支持部１１が第１のパネル装置Ｐ１の連結側端面Ｅ１に沿って支持され、第２の支持部１２が第２のパネル装置Ｐ２の連結側端面Ｅ２に沿って支持される。第１の支持部１１の幅寸法ａ１はパネル装置Ｐ１の表裏幅ａ４と略同じに設定され、第２の支持部１２の幅寸法ａ２はパネル装置Ｐ２の表裏幅ａ５と略同じに設定される。また、支持部１１のパネル面に平行な横方向厚みｔ１と、支持部１２のパネル面に平行な横方向厚みｔ２は略同じ寸法に設定される。【選択図】図２
2008121369.tif 000002
【特許請求の範囲】
【請求項１】
第１のパネル装置と第２のパネル装置を端部でＬ字状に連結するパネル装置の連結構造において、前記第１のパネル装置の表裏幅と略同じ幅寸法を有し、第１のパネル装置の連結側端面に沿って支持される第１の支持部と、前記第２のパネル装置の表裏幅と略同じ幅寸法を有し、第２のパネル装置の連結側端面に沿って支持される第２の支持部とを互いに略直角の方向に延設してなる断面視略Ｌ字状のコーナー連結カバーにより、前記第１のパネル装置と第２のパネル装置をＬ字状に連結したことを特徴とするパネル装置の連結構造。
【請求項２】
前記第１の支持部におけるパネル面に平行な横方向の厚みと、前記第２の支持部におけるパネル面に平行な横方向の厚みを略同じ寸法に設定してなる請求項１記載のパネル装置の連結構造。
【請求項３】
前記第１又は第２の支持部におけるパネル面に平行な横方向の厚みを、支持されるパネル装置、またはその他端側に単または複数連結されるパネル装置のうち連結終端となるパネル装置の遊端面に装着される端カバーの同じくパネル面に平行な横方向の厚みと略同じ寸法に設定してなる請求項１又は２記載のパネル装置の連結構造。
【請求項４】
前記第１又は第２の支持部を、支持されるパネル装置の連結側端部に設けられる支柱に固定してなる請求項１〜３の何れか１項に記載のパネル装置の連結構造。
【請求項５】
前記第１又は第２のパネル装置がガラスパネル装置である請求項１〜４の何れか１項に記載のパネル装置の連結構造。
【発明の詳細な説明】
【技術分野】
【０００１】
本発明は、パネル装置をＬ字状に連結する連結構造に係わり、より詳しくは、外観性を向上でき、組立・施工も容易なパネル装置の連結構造に関する。
【背景技術】
【０００２】
従来、パネル装置をＬ字状に連結する連結構造として、一方のパネル装置のパネルを支持する支柱を、パネルを側面で支持する断面略半円筒状の支持本体に、一対の接続片を突設して構成し、前記接続片に接続される連結杆を介して、他方のパネル装置の支柱内側面に接続して連結する構造が提案されている（例えば、特許文献１、図６参照。）。このような連結構造においては、一方のパネル装置のパネル表側からみたときに、パネル面に連続して当該パネル装置の支柱（支持本体）の表側面および他方のパネル装置の支柱外側面が現れ、その存在が外観性を低下させる原因となっていた。とくにパネル板が透明なガラスパネルの場合には、これら支柱の存在は外観上大きく影響することとなり、これら連結部の部材を目立たなくする工夫が求められていた。
【０００３】
また、単位間仕切パネルを直角に連結するコーナー部において、直線状に連結した単位間仕切パネルの端部の支柱を横幅が狭いものを用い、連結する他の単位間仕切パネルの内パネル板と側カバー間に形成された目地部を利用して横幅が狭い支柱を対応する支柱の側面に対してネジ止めして連結する構造が提案されている（例えば、特許文献２、図３参照。）。しかしながら、このような構造では、側カバーを取り付けている間仕切パネルをパネル表側から見たときには側カバーの比較的細い表面がパネルに連続して見え、横幅の狭い支柱を設けた間仕切パネルを同じくパネル表側から見たときには前記側カバーの比較的幅の広い側面がパネルに連続して見えることとなり、双方のパネルから見たときのカバー幅が異なることから外観デザイン上のバランスが低下する。また、特別な支柱を必要とするため部品点数が増加し、施工も複雑となる。
【０００４】
【特許文献１】特開２００４−２１１３９３号公報（図６）
【特許文献２】特開２００６−２７５６１０号公報（図３）
【発明の開示】
【発明が解決しようとする課題】
【０００５】
そこで、本発明が前述の状況に鑑み、解決しようとするところは、ガラスパネルであっても連結部分の存在を目立たなくして外観性を向上できるとともに、パネル装置自体に特別な構造を必要とせず、部品点数を抑えてコスト低減、組立・施工の容易化を実現できるパネル装置の連結構造を提供する点にある。
【課題を解決するための手段】
【０００６】
本発明は、前述の課題解決のために、第１のパネル装置と第２のパネル装置を端部でＬ字状に連結するパネル装置の連結構造において、前記第１のパネル装置の表裏幅と略同じ幅寸法を有し、第１のパネル装置の連結側端面に沿って支持される第１の支持部と、前記第２のパネル装置の表裏幅と略同じ幅寸法を有し、第２のパネル装置の連結側端面に沿って支持される第２の支持部とを互いに略直角の方向に延設してなる断面視略Ｌ字状のコーナー連結カバーにより、前記第１のパネル装置と第２のパネル装置をＬ字状に連結したことを特徴とするパネル装置の連結構造を提供する。
【０００７】
ここで、前記第１の支持部におけるパネル面に平行な横方向の厚みと、前記第２の支持部におけるパネル面に平行な横方向の厚みを略同じ寸法に設定してなる構造が好ましい。
【０００８】
また、前記第１又は第２の支持部におけるパネル面に平行な横方向の厚みを、支持されるパネル装置、またはその他端側に単または複数連結されるパネル装置のうち連結終端となるパネル装置の遊端面に装着される端カバーの同じくパネル面に平行な横方向の厚みと略同じ寸法に設定してなる構造が好ましい。
【０００９】
より具体的には、前記第１又は第２の支持部を、支持されるパネル装置の連結側端部に設けられる支柱に固定してなる構造が好ましい。
【００１０】
さらに、前記第１又は第２のパネル装置がガラスパネル装置であることが好ましい。
【発明の効果】
【００１１】
以上にしてなる本願発明に係るパネル装置の連結構造によれば、コーナー連結カバーの第１の支持部と第２の支持部をそれぞれパネル装置の側端面に取り付けるだけで、部品点数を増大させることなく容易にＬ字状連結を実現できるとともに、各パネル装置のパネルからは各支持部の細長い表側側面がパネル面に連続して見えるだけとなり、透過性を有するガラスパネルの場合であっても当該コーナー連結カバーの存在を目立たなくして外観性を高めることが可能となる。
【００１２】
また、第１の支持部におけるパネル面に平行な横方向の厚みと、第２の支持部におけるパネル面に平行な横方向の厚みを略同じ寸法に設定しているので、双方のパネルから見たときのカバー幅が同じとなり、外観デザイン上のバランスが維持することができる。
【００１３】
また、第１又は第２の支持部におけるパネル面に平行な横方向の厚みを、支持されるパネル装置、またはその他端側に単または複数連結されるパネル装置のうち連結終端となるパネル装置の遊端面に装着される端カバーの同じくパネル面に平行な横方向の厚みと略同じ寸法に設定しているので、コーナー連結カバーと端カバーの外観デザイン上のバランスも保つことができる。
【発明を実施するための最良の形態】
【００１４】
次に、本発明の実施形態を添付図面に基づき詳細に説明する。
【００１５】
図１は、本発明に係るパネル装置の連結構造を示す全体構成図であり、図１、２は第１実施形態、図３は第２実施形態、図４、５は第３実施形態、図６は第４実施形態、図７は第５実施形態を示し、図中符号１はコーナー連結カバー、２はパネル、３は支柱、４は端カバー、５は地レール、６は巾木部材、７は天レールをそれぞれ示している。
【００１６】
本発明のパネル装置の連結構造Ｓは、図１及び図２に示すように、第１のパネル装置Ｐ１と第２のパネル装置Ｐ２をコーナー連結カバー１により端部で略直角の方向にＬ字状連結した構造である。コーナー連結カバー１は、互いに略直角の方向に延設された第１の支持部１１と第２の支持部１２とよりなる断面視略Ｌ字状の部材であり、前記第１の支持部１１が第１のパネル装置Ｐ１の連結側端面Ｅ１に沿って支持され、第２の支持部１２が第２のパネル装置Ｐ２の連結側端面Ｅ２に沿って支持されている。このようなコーナー連結カバー１によりパネル装置同士を連結することにより、各パネル装置Ｐ１（Ｐ２）のパネル表側中央付近からは支持部１１（１２）の細長い表側側面がパネル側方に連続して見えるだけで、とくに透過性を有するガラスパネルの場合であってもコーナー連結の部分が目立たない美観性に優れた構造となる。
【００１７】
第１の支持部１１の幅寸法ａ１は、図２に示すようにパネル装置Ｐ１の表裏幅ａ４と略同じに設定されており、同じく第２の支持部１２の幅寸法ａ２はパネル装置Ｐ２の表裏幅ａ５と略同じに設定されている。そして、支持部１１におけるパネル面に平行な横方向の厚みｔ１と、支持部１２におけるパネル面に平行な横方向の厚みｔ２は、たがいに略同じ寸法に設定されている。
【００１８】
先ず、図１、２に基づき第１実施形態を詳細に説明する。
【００１９】
本実施形態の連結構造Ｓは、表裏両側にガラス板を取り付けたガラスパネル装置Ｐ１、Ｐ２を、上記コーナー連結カバー１を用いて端部でＬ字状に連結したものである。本例では、すべてのパネル装置Ｐ１〜Ｐ４を同一構造としているが、他の構造のパネル装置を上記コーナー連結カバー１を用いて連結した構造や、他の構造のパネル装置を他端側に連結した構造でもよい。
【００２０】
パネル装置Ｐ１，・・・は、天井と床面に天レール７と地レール５を対向させて取付け、該地レール５に外嵌してレベル調整した巾木部材６の上に、間隔をおいて左右の支柱３を立設し、支柱３の上端部は天レール７内で固定金具で取付け、隣接する支柱３の間の上端部に、前記天レール７に上下スライド且つ固定可能に外嵌した笠木部材７０の両端を仮止めし、支柱３の間の表裏から、それぞれ縦横の枠部材よりなる枠体２１にガラス板２０の周縁部を予め強固に保持させたガラスパネル２を取り付け、笠木部材７０を固定して構成されている。
【００２１】
枠体２１を構成する４辺の枠部材には、それぞれガラス板２０の縁部２０ａを支持する断面略Ｌ字形の支持片２２が長手方向に渡って突設されており、各々両面テープ２３又はコーキング材にてガラス板周縁部２０ａに強固に固定されている。これら枠体２１を構成する各枠部材は例えばアルミ押出し型材で作製される。
【００２２】
枠体２１のパネル面に平行な横方向の厚みｔ４は、好ましくは後述するコーナー連結カバー１の厚みｔ１、ｔ２、端カバーの厚みｔ３と略同じに設定され、これにより例えば図５に示すようなＴ字状連結の場合に枠体２１の厚みｔ４が連結部分に現われても、他端側に設けられるコーナー連結カバーや端カバーの厚みと共通していることで美観性を損なわずバランスに優れたデザインのパネルシステムを構成することができる。
【００２３】
支柱３は、スチール製の板材を断面略Ｍ字形に折り曲げ成形した部材を組合せ、表裏両側にそれぞれ筒状部３０、３０を構成し、筒状部間の表裏に凹溝がそれぞれ形成された構造である。本実施形態では２部材を組み合わせた複合物で構成したが、一体物でもよく、アルミニウムの押出し成形品で構成してもよい。そして、各ガラスパネル２は、下枠を巾木部材６の上面に嵌合させるとともに、左右の縦枠外面に突設した突出片２３，２３の図示しない切欠き部を支柱３の内面に予め取り付けた取付金具３１の取付片３１ａに掛止し、さらに上枠を支柱３の上端間に架設される笠木部材７０の下面に嵌合することにより、支柱３，３の間の表裏両側にそれぞれ取り付けられている。
【００２４】
本実施形態のパネル装置Ｐ１，・・・は、支柱３，３の間の表裏両側にガラスパネル２をそれぞれ一枚づつ取り付けて構成したものであるが、複数分割されたガラスパネル又はガラス板を上下に連設したものや、横方向に枠体や支柱を介在させずにパネル板同士を目地具を用いて直接連結したものでも良い。また、ガラス以外のパネル板と組み合わせて構成してもよい。本例のパネル装置Ｐ２〜Ｐ４では、隣り合うパネルの支柱３を共有して構成されている。
【００２５】
コーナー連結カバー１は、前記パネル装置Ｐ１、Ｐ２をそれぞれ支持する支持部１１、１２を互いに略直角の方向に延設された断面視略Ｌ字状の部材であり、本実施形態ではアルミニウムの押出し型材で構成されている。支持部１１は、より詳しくは、第１のパネル装置Ｐ１の連結側端面Ｅ１を構成する支柱３を受け入れる凹部１１ｂが設けられ、支柱３に設けられた通孔３２をパネル側内面から貫通した取付ネジ３３を前記凹部１１ｂの底面の取付孔１１ｃに螺合して固定されている。支持部１２についても同様に、第２のパネル装置Ｐ２の支柱３を受け入れる凹部１２ｂが設けられ、支柱３の通孔３２をパネル側内面から貫通した取付ネジ３３を凹部１２ｂの底面の取付孔１２ｃに螺合して固定されている。
【００２６】
支持部１１とパネル装置Ｐ１の枠体２１との間には隙間が形成され、外部から支柱３が見えることとなるが、アルミニウム製の支持部１１、枠体２１に対し、スチール製の支柱３が外部から目立ってしまう虞がある。そこで、本例では予め支柱３の両側面にアルミニウム製の板材３４、３４が両面テープ等で貼り付けられており、これら板材３４、３４を支柱３とともに凹部１１ｂに嵌め込み、支柱３の存在を目立たないように構成している。支持部１２に支持されるパネル装置Ｐ２側の支柱３についても同様の板材３４、３４が設けられている。
【００２７】
なお、本実施形態では、同一構成のパネル装置Ｐ１、Ｐ２を連結するため、支持部１１の幅寸法ａ１と支持部１２の幅寸法ａ２は同じであるが、各パネル装置の表裏幅が異なればこれら支持部１１、１２の幅寸法も異なることは勿論である。また、支持部１１の厚みｔ１と支持部１２の厚みｔ２も本例では同じ寸法に設定されているが、本発明は必ずしもこのような寸法関係に限定されず、たとえば支持するパネル装置の表裏幅ａ４，ａ５が互いに異なる場合、大きい表裏幅のパネル装置を支持する支持部の方の厚みを大きく設定し、支持強度を維持するように構成することも可能である。本実施形態のコーナー連結カバー１に対するパネル装置Ｐ１の接続は、支持部１１の凹部１１ｂに支柱３を固定した後、該支柱３と他端側の支柱３の各内面側に設けられる取付金具３１に対し、それぞれ表裏のガラスパネル２、２が取り付けられる。パネル装置Ｐ２の接続についても同様である。
【００２８】
第２のパネル装置Ｐ２の他端側には、パネル装置Ｐ３、Ｐ４が複数連結されており、連結終端となるパネル装置Ｐ４の遊端面Ｅ４には、端カバー４が装着されている。この端カバー４は、上記したコーナー連結カバー１の支持部１１、１２と同様、幅寸法ａ３が支持されるパネル装置Ｐ４の表裏幅ａ６と略同じに設定されており、パネル面に平行な横方向の厚みｔ３は、前記コーナー連結カバー１の支持部１１、１２の厚みｔ１、ｔ２と略同じ寸法に設定されている。
【００２９】
端カバー４は、コーナー連結カバー１と同じくアルミニウムの押出し型材で構成されており、パネル装置Ｐ４の遊端面Ｅ１を構成する支柱３を受け入れる凹部４１ｂが設けられ、支柱３に設けられた通孔３２をパネル側内面から貫通した取付ネジ３３を前記凹部４１ｂの底面の取付孔４１ｃに螺合して固定されている。端カバー４とパネル装置Ｐ４の枠体２１との間にも隙間が形成されるため、支柱３の両側面にアルミニウム製の板材３４、３４が両面テープ等で貼り付けられ、これら板材３４、３４を支柱３とともに凹部４１ｂに嵌め込み、支柱３の存在を目立たないように構成している。なお、このような端カバー４を設けるのはパネル装置の遊端部が存在する場合であり、壁面に連結する場合に省略してよいことは勿論である。
【００３０】
次に、図３に基づき第２実施形態を説明する。
【００３１】
本実施形態の連結構造Ｓは、ガラス板を表側にのみ取り付けたガラスパネル装置Ｐ１、Ｐ２を上記コーナー連結カバー１を用いて端部でＬ字状に連結した例である。パネル装置Ｐ１、Ｐ２は、それぞれ枠体２１Ａにガラス板２０の周縁部を保持させたものであり、枠体２１Ａは、ガラス板２０の縁部２０ａを支持する断面略Ｌ字形の支持片２２が長手方向に渡って突設された表側枠体２４と、４辺に対応する４本の裏側枠部材２５とから構成されている。
【００３２】
そして、表側枠体２４を周縁部２０ａに取り付けたガラスパネル２を表側から左右の支柱３の間に挿入し、ガラス板２０を支持している支持片２２を両支柱３の表面側に当接した状態で、該支柱３の内面側に沿って延びた内面部２６を該支柱３の内側面に取付ネジ２７によりネジ止めするとともに、前記裏側枠部材２５をそれぞれ裏側から両支柱３の間に挿入し、表側枠体２４の内面部２６に弾性嵌合して支柱３の裏面側に当接して装着したものである。
【００３３】
裏側枠部材２５には、前記支柱３の裏側面に当止する中実部２８を有し、該中実部２８の内側からパネル厚さ方向に延びた内面板２９を有し、該内面板２９の先端は、表側枠部材２４の係合凹部２４ａに嵌合し、該内面板２９と内面部２６とは面一になり、また前記中実部２８には表側枠部材２４の内面部２６の先端片８０を受け入れる係合段部８１を形成するとともに、前記中実部２８と内面板２９の基部との間に溝部８２を形成し、該溝部８２に板ばね８３を嵌着できるように構成されている。板ばね８３は先端部が外側に断面へ字状に屈曲しており、この屈曲部が裏側枠部材２５を表側枠体２４に嵌合したときに、表側枠部材２４の内面部の先端片８０の内面に形成した係合溝８４に弾性的に係合するようになっている。表側枠体２４を構成する各枠部材、および裏側枠部材２５は、それぞれアルミ押出し型材で作製されている。その他、各パネル装置の支柱３などの構造やコーナー連結カバー１の構造、変形例等については、上記第１実施形態と同様であるため、同一構造については同一符号を付してその説明を省略する。
【００３４】
次に、図４、５に基づき第３実施形態を説明する。
【００３５】
本実施形態の連結構造Ｓは、ガラス板２０を隣り合う支柱３の間の中央位置にのみ取り付けたガラスパネル装置Ｐ１、Ｐ２を上記コーナー連結カバー１を用いて端部でＬ字状に連結した例である。パネル装置Ｐ１、Ｐ２は、それぞれ枠体２１Ｂにガラス板２０の周縁部を保持させたものであり、枠体２１Ｂは、ガラス板２０の縁部２０ａを支持する凹溝８５を内面側に設けた表側枠体２４と、４辺に対応する４本の裏側枠部材２５とから構成されており、上記した第２実施形態の表側枠体２４の支持片２２の代わりに、後述する中実部８６部と前記凹溝８５を設けてガラス板２０を支持したものであり、表側枠体２４のその他の構成は基本的には上記第２実施形態と同様である。
【００３６】
そして、表側枠体２４を周縁部２０ａに取り付けたガラスパネル２を表側から左右の支柱３の間に挿入し、中実部８６を両支柱３の表面側に当接した状態で、該支柱３の内面側に沿って延びた内面部２６を該支柱３の内側面に取付ネジ２７によりネジ止めするとともに、前記裏側枠部材２５をそれぞれ裏側から両支柱の間に挿入し、表側枠体２４の内面部２６に弾性嵌合して支柱３の裏面側に当接して装着したものである。裏側枠部材２５も基本的には上記第２実施形態の裏側枠部材と同様の構成を有し、内面板２９の先端が表側枠部材２４の係合凹部２４ａに嵌合し、該内面板２９と内面部２６とは面一になり、また前記中実部２８に係合段部８１を形成するとともに溝部８２に板ばね８３を嵌着できるように構成されている。
【００３７】
図５は本実施形態に係る３枚のパネル装置Ｐ５〜７を支柱３を介して略Ｔ字状に連結した構造を示している。このＴ字状連結は、まずパネル装置Ｐ５、Ｐ６がそれぞれ表側枠体２４を貫通する上記取付ネジ２７を用いて支柱３の両面に固定され、直線状に連結される。そして、直線状に連結されたパネル装置Ｐ５、Ｐ６の裏面側からパネル装置Ｐ７が連結部材３５を介してＴ字状に連結される。
【００３８】
連結部材３５は、パネル装置Ｐ５、Ｐ６の裏側枠部材２５、２５の裏側面の間に渡って当接されるとともに、その両側からパネル装置Ｐ７の枠体２１Ｂに向かってＬ字状に延設され、該枠体２１Ｂの外側面に当接する支持片８７ａ、８７ａを備えた連結カバー部材８７と、その内面側に設けられる取付部材８８とより構成されており、連結カバー部材８７は枠体２１Ｂと同様のアルミ押出し型材よりなる。
【００３９】
連結部材３５は貫通する取付ネジ８９を支柱３の内側面に螺合してパネル装置Ｐ５、Ｐ６の枠体２１Ｂ、２１Ｂに当接した状態に取付けられ、この連結部材３５に対し、パネル装置Ｐ７の表側枠体２４Ｂを取付ネジ２７を用いて前記取付部材８８にネジ止めし、裏側枠部材２５を表側枠体２４に弾性嵌合して装着される。その他、各パネル装置の支柱３などの構造やコーナー連結カバー１の構造、変形例等については、上記第１実施形態と同様であるため、同一構造については同一符号を付してその説明を省略する。
【００４０】
次に、図６に基づき第４実施形態を説明する。
【００４１】
本実施形態の連結構造Ｓは、ガラス板ではなく非透過性のパネル２、たとえば金属板や木製板材の表面に織布を張設したクロス板を、隣り合う支柱３の間の表裏両側に取り付けたパネル装置Ｐ１、Ｐ２を上記コーナー連結カバー１を用いて端部でＬ字状に連結した例である。具体的には、パネル２の枠体２１Ｃの縦枠部９２に上下に所定間隔をおいて図示しない切欠溝または係合孔を設け、支柱３の内面側に設けた取付金具９に掛止されることで各パネル２を支柱の間に取り付けられる。前記取付金具９は、表側及び裏側の両端部にそれぞれ前記縦枠部９２の切欠溝に係合する係止片９０、９０を有する部材であり、取付ネジ９１、９１により予め支柱３の内面側に取付けられる。その他、各パネル装置の支柱３などの構造やコーナー連結カバー１の構造、変形例等については、上記第１実施形態と同様であるため、同一構造については同一符号を付してその説明を省略する。
【００４２】
次に、図７に基づき第５実施形態を説明する。
【００４３】
本実施形態の連結構造Ｓは、ドアパネル装置Ｐ１と、ガラス板を表側にのみ取り付けた第２実施形態のガラスパネル装置Ｐ２とを上記コーナー連結カバー１を用いて端部でＬ字状に連結した例である。ドアパネル装置Ｐ１は、ドアパネル１３のヒンジ側の端部１６に対向してアルミ押出し型材より構成された枠部材１４が設けられ、該枠部材１４は取付ネジ１７により支柱３に取付けられている。端部１６の内側にはヒンジ部１５が設けられ、該ヒンジ１５によりドアパネル１３が回動可能に支持されている。その他、各パネル装置の支柱３などの構造やコーナー連結カバー１の構造、変形例等については、上記第１実施形態と同様であるため、同一構造については同一符号を付してその説明を省略する。
【００４４】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４５】
【図１】本発明の第１実施形態に係るパネル装置の連結構造を示す全体簡略図。
【図２】同じく連結構造を示す要部の横断面図。
【図３】本発明の第２実施形態の連結構造を示す要部の横断面図。
【図４】本発明の第３実施形態の連結構造を示す要部の横断面図。
【図５】Ｔ字状連結の構造を示す横断面図。
【図６】本発明の第４実施形態の連結構造を示す要部の横断面図。
【図７】本発明の第５実施形態の連結構造を示す要部の横断面図。
【符号の説明】
【００４６】
１  コーナー連結カバー              ２  ガラスパネル
３  支柱                            ４  端カバー
５  地レール                        ６  巾木部材
７  天レール                        ９  取付金具
１１  支持部                        １１ｂ  凹部
１１ｃ  取付孔                      １２  支持部
１２ｂ  凹部                        １２ｃ  取付孔
１３  ドアパネル                    １４  枠部材
１５  ヒンジ部                      １６  端部
２０  ガラス板                      ２０ａ  縁部
２１  枠体                          ２１Ａ  枠体
２１Ｂ  枠体                        ２１Ｃ  枠体
２２  支持片                        ２３  突出片
２４  表側枠体                      ２４ａ  係合凹部
２４Ｂ  表側枠体                    ２５  裏側枠部材
２６  内面部                        ２７  取付ネジ
２８  中実部                        ２９  内面板
３０  筒状部                        ３１  取付金具
３１ａ  取付片                      ３２  通孔
３３  取付ネジ                      ３４  板材
３５  連結部材                      ４１ｂ  凹部
４１ｃ  取付孔                      ７０  笠木部材
８０  先端片                        ８１  係合段部
８２  溝部                          ８４  係合溝
８５  凹溝                          ８６  中実部
８７  連結カバー部材                ８７ａ  支持片
８８  取付部材                      ８９  取付ネジ
９０  係止片                        ９１  取付ネジ
９２  縦枠部                        Ｐ１-Ｐ７  パネル装置
Ｓ  連結構造
【図１】
2008121369.tif 000003
【図２】
2008121369.tif 000004
【図３】
2008121369.tif 000005
【図４】
2008121369.tif 000006
【図５】
2008121369.tif 000007
【図６】
2008121369.tif 000008
【図７】
2008121369.tif 000009